(57)【特許請求の範囲】
【請求項１】
フレーム表示可能な表示手段を備える電気機器であって、
前記フレームを形成するフレームデータ及び前記フレーム内に表示するペインイメージを形成するペインデータを記憶するデータ記憶手段と、
該データ記憶手段からフレームデータを取得するフレームデータ取得手段と、
該フレームデータ取得手段で取得したフレームデータの指定情報で指定されたペインデータを、前記データ記憶手段から取得するペインデータ取得手段と、
該ペインデータ取得手段で取得したペインデータからペインイメージを生成するペインイメージ生成手段と、
前記フレームデータ取得手段で取得したフレームデータに基づいてフレームを形成し、該形成したフレーム内に、前記ペインイメージ生成手段で生成したペインイメージを配置して画像イメージを生成するとともに、該生成した画像イメージに基づいて前記表示手段に画像を表示させる画像イメージ生成手段と、
前記表示手段の表示に用いたフレームデータを記憶するフレームデータ記憶手段と、
前記表示手段の表示に用いたペインイメージを記憶するペインイメージ記憶手段と、
前記フレームデータ取得手段が、前記表示手段の次の表示に用いるフレームデータを取得したときに、該フレームデータ取得手段が取得したフレームデータ及び前記フレームデータ記憶手段に記憶したフレームデータの比較により、前記ペインデータ取得手段に取得させるペインデータの選択及び前記画像イメージ生成手段に前記ペインイメージ記憶手段から取得させるペインイメージの選択を行なう表示制御手段とを備えることを特徴とする電気機器。
【請求項２】
前記表示制御手段が、
前記フレームデータ取得手段が取得した次の表示に用いるフレームデータの指定情報が、前記フレームデータ記憶手段に記憶したフレームデータの指定情報に対し、一致するか否かを判別する指定情報判別手段と、
該指定情報判別手段で不一致と判別された指定情報に対応するペインデータを、前記ペインデータ取得手段に取得させるペインデータ選択手段と、
前記指定情報判別手段で一致と判別された指定情報に対応するペインデータのペインイメージを、前記画像イメージ生成手段に、前記ペインイメージ記憶手段から取得させるペインイメージ選択手段とを備えることを特徴とする請求項１記載の電気機器。
【請求項３】
前記表示制御手段が、前記指定情報から固有識別値を算出する固有識別値算出手段を備え、
前記指定情報判別手段が、前記次の表示に用いるフレームデータの指定情報及び前記フレームデータ記憶手段に記憶したフレームデータの指定情報を、それぞれ前記固有識別値算出手段で固有識別値を算出するとともに、該算出された固有識別値同士を比較して、一致するか否かを判別することを特徴とする請求項２記載の電気機器。
【請求項４】
前記算出手段が、前記指定情報の固有識別値としてハッシュ値を算出することを特徴とする請求項３記載の電気機器。
【請求項５】
前記指定情報判別手段が、不一致及び／又は一致すると判別された指定情報に、所定の識別子を付与する識別子付与手段を備え、
前記ペインデータ選択手段が、前記識別子付与手段で識別子を付与された指定情報の有無に応じて、前記ペインデータ取得手段に取得させるペインデータの選択を行ない、
前記ペインイメージ選択手段が、前記識別子付与手段で識別子を付与された指定情報の有無に応じて、前記画像イメージ生成手段に取得させるペインイメージの選択を行なうことを特徴とする請求項２〜４のいずれか一項に記載の電気機器。
【請求項６】
フレーム表示可能な表示手段を備える電気機器の表示制御方法であって、
前記電気機器が備える、前記フレームを形成するフレームデータ及びフレーム内に表示するペインイメージを形成するペインデータを記憶したデータ記憶手段から、前記フレームデータを取得し、
前記記憶手段から、前記取得したフレームデータの指定情報で指定されたペインデータを取得し、
該取得したペインデータからペインイメージを生成し、
前記取得したフレームデータに基づいてフレームを形成し、該形成されたフレーム内に、前記生成したペインイメージを配置して画像イメージを生成するとともに、該生成した画像イメージに基づいて前記表示手段に画像を表示させ、
前記データ記憶手段から、前記表示手段の次の表示に用いるフレームデータを取得したときに、該フレームデータ取得手段が取得したフレームデータ及び前記表示手段の表示に用いたフレームデータの比較により、前記ペインデータを選択して取得するとともに、前記表示手段の表示に用いたペインイメージを選択して取得し、
新たに取得したフレームデータ、ペインデータ及びペインイメージから画像イメージを生成して前記表示手段に画像を表示させることを特徴とする表示制御方法。
【請求項７】
フレーム表示可能な表示手段、を備えるコンピュータを、
前記フレームを形成するフレームデータ及び前記フレーム内に表示するペインイメージを形成するペインデータを記憶するデータ記憶手段と、
該データ記憶手段からフレームデータを取得するフレームデータ取得手段と、
該フレームデータ取得手段で取得したフレームデータの指定情報で指定されたペインデータを取得するペインデータ取得手段と、
該ペインデータ取得手段で取得したペインデータからペインイメージを生成するペインイメージ生成手段と、
前記フレームデータ取得手段で取得したフレームデータに基づいてフレームを形成し、該形成したフレーム内に、前記ペインイメージ生成手段で生成したペインイメージを配置して画像イメージを生成するとともに、該生成した画像イメージに基づいて前記表示手段に画像を表示させる画像イメージ生成手段と、
前記表示手段の表示に用いたフレームデータを記憶するフレームデータ記憶手段と、
前記表示手段の表示に用いたペインイメージを記憶するペインイメージ記憶手段と、
前記フレームデータ取得手段が、前記表示手段の次の表示に用いるフレームデータを取得したときに、該フレームデータ取得手段が取得したフレームデータ及び前記フレームデータ記憶手段に記憶したフレームデータの比較により、前記ペインデータ取得手段に取得させるペインデータの選択及び前記画像イメージ生成手段に前記ペインイメージ記憶手段から取得させるペインイメージの選択を行なう表示制御手段として機能させるためのプログラム。
【発明の詳細な説明】
【技術分野】
【０００１】
本発明は、画像を表示する表示パネルなどの表示手段を備える電気機器、電気機器の表示手段の画像表示を制御する画像表示制御方法、及び、画像表示制御プログラムに関する。
【背景技術】
【０００２】
一般に、プリンタ、コピー機、ＭＦＰ（Ｍｕｌｔｉ  Ｆｕｎｃｔｉｏｎ  Ｐｅｒｉｐｈｅｒａｌ）などの電気機器は、例えば、ＣＰＵなどの演算処理部により、ＨＴＭＬ文書などの表示用のデータを読み込んで、画像イメージを生成し、これを表示パネルなどに表示させるものがある。
この表示パネルは、いわゆるフレーム表示といわれる、フレームで仕切られてなる複数の領域（ペイン）を備える表示が可能となっている。
また、表示パネルは、画面遷移を行なうボタンが付設されており、このボタンをタッチすることにより、印刷出力の倍率を変更したり、印刷出力に用いる紙などを設定したりするために用いられる。
【０００３】
この表示パネルは、例えば、電気機器が備えるマイクロプロセッサなどの演算処理部によりその表示が制御される。
演算処理部は、フレームを形成するフレームデータ、ペインに表示するペインイメージを形成するペインデータがあらかじめ記憶されたメモリや、これらのデータを処理して表示パネルに画像表示させるＣＰＵなどを備えている。
そして、ＣＰＵは、フレームデータを取得し、このフレームデータに基づいてフレームを形成し、フレームデータで指示されたペインデータを取得し、取得したペインデータからペインイメージを生成し、このペインイメージを形成したフレーム内に配置して画像イメージを生成する。その後、ＣＰＵは、画像イメージに基づいて表示パネルに画像を表示させる。
【０００４】
このような表示パネルにフレーム表示させる技術としては、例えば、特許文献１記載のものが提案されている。
この特許文献１は、サーバクライアントシステムが記載されている。
このサーバクライアントシステムは、受注管理を行なう業務システムであって、ＷＷＷサーバ、クライアントパソコン、データベースサーバを備えている。
【０００５】
クライアントパソコンで実行されたＷｅｂブラウザは、ＷＷＷサーバから上側のフレームに、データベースサーバとのセッション管理プログラムをダウンロードして実行する。
また、Ｗｅｂブラウザは、下側のフレームに、受注データの更新等の処理を行なうプログラムと、データベースサーバに受注データを問い合わせるプログラム、データベースサーバの発注データを更新する処理を行なう発注入力のプログラムを順にダウンロードして実行する。
下側ペインで実行される各プログラムは、上側ペインにダウンロードされたセッション管理プログラムにより設定されたセッションを使用してデータベースとアクセスする。
【０００６】
このようにすると、セッション管理プログラムにより設定されたセッションにより、下側ペインの各プログラムが、セッション接続、維持、切断の各処理を行うことなく、データベースとセッション接続できるので、切換表示をスピーディに行うことができる。
【０００７】
【特許文献１】特開２０００−２２２３２０号公報
【発明の開示】
【発明が解決しようとする課題】
【０００８】
ところで、このような電気機器においては、表示パネルに予め表示したフレームの表示画像から、次のフレームの表示画像に遷移するときに、演算処理部が、次のフレームデータを取得し、このフレームデータで指定される各ペインデータを新たに読み込んで画像イメージを生成するので、予め表示した表示画像のフレームデータで指定されるペインデータと、次に表示する表示画像のフレームデータのペインデータとが重複して読み込むことがあった。そのため、その都度、すべてのペインデータを処理してペインイメージを生成し、画像イメージにペインイメージを配置していたので、画像の遷移速度が遅くなり、画像表示の応答性に劣るという問題があった。
この問題の解決のために、演算処理部の演算処理能力を向上させることが考えられるが、この場合、製造コストなどが高くなり好ましくない。
【０００９】
本発明は、以上のような従来の技術が有する問題を解決するために提案されたものであり、画像イメージの生成を簡略化して、表示手段に表示する画像表示の応答性を向上した電気機器、電気機器に用いる画像表示制御方法、及び、画像表示制御プログラムの提供を目的とする。
【課題を解決するための手段】
【００１０】
上記目的を達成するため、本発明の電気機器は、フレーム表示可能な表示手段を備える電気機器であって、前記フレームを形成するフレームデータ及び前記フレーム内に表示するペインイメージを形成するペインデータを記憶するデータ記憶手段と、該データ記憶手段からフレームデータを取得するフレームデータ取得手段と、該フレームデータ取得手段で取得したフレームデータの指定情報で指定されたペインデータを、前記データ記憶手段から取得するペインデータ取得手段と、該ペインデータ取得手段で取得したペインデータからペインイメージを生成するペインイメージ生成手段と、前記フレームデータ取得手段で取得したフレームデータに基づいてフレームを形成し、該形成したフレーム内に、前記ペインイメージ生成手段で生成したペインイメージを配置して画像イメージを生成するとともに、該生成した画像イメージに基づいて前記表示手段に画像を表示させる画像イメージ生成手段と、前記表示手段の表示に用いたフレームデータを記憶するフレームデータ記憶手段と、前記表示手段の表示に用いたペインイメージを記憶するペインイメージ記憶手段と、前記フレームデータ取得手段が、前記表示手段の次の表示に用いるフレームデータを取得したときに、該フレームデータ取得手段が取得したフレームデータ及び前記フレームデータ記憶手段に記憶したフレームデータの比較により、前記ペインデータ取得手段に取得させるペインデータの選択及び前記画像イメージ生成手段に前記ペインイメージ記憶手段から取得させるペインイメージの選択を行なう表示制御手段とを備えている。
【００１１】
このような構成の電気機器は、ユーザの操作などにより、表示手段が元の画像から次の画像に遷移させられるときは、フレームデータ取得手段が次のフレームデータを取得する。
この際、表示制御手段が、フレームデータ取得手段が取得したフレームデータと、表示手段に表示した画像のフレームデータとを比較し、この比較に基づいてペインデータ取得手段に取得するペインデータを選択して取得させ、画像イメージ生成手段にペインイメージを選択して取得させる。
【００１２】
このようにすると、電気機器は、ペインデータ取得手段によるペインデータ取得及びペインイメージ生成手段によるペインイメージの生成を簡略化できる。
そのため、電気機器は、画像イメージ生成手段が生成する画像イメージの生成を簡略化でき、表示手段に表示する画像表示の応答性を向上させることができる。
【００１３】
前記表示制御手段が、前記フレームデータ取得手段が取得した次の表示に用いるフレームデータの指定情報が、前記フレームデータ記憶手段に記憶したフレームデータの指定情報に対し、一致するか否かを判別する指定情報判別手段と、該指定情報判別手段で不一致と判別された指定情報に対応するペインデータを、前記ペインデータ取得手段に取得させるペインデータ選択手段と、前記指定情報判別手段で一致と判別された指定情報に対応するペインデータのペインイメージを、前記画像イメージ生成手段に、前記ペインイメージ記憶手段から取得させるペインイメージ選択手段とを備えることが好ましい。
【００１４】
このようにすると、ペインデータ取得手段は、表示手段に表示した画像から、次の画像に遷移するときに、表示した画像のフレームデータで指定されるペインデータと、次に表示する画像のフレームデータのペインデータとを重複することなく取得することができる。
また、ペインイメージ生成手段は、新たに読み込んだ分のペインデータからペインイメージを生成するので、表示した画像のペインイメージを生成しなくてもよくなる。
そのため、ペインイメージ生成手段によるペインイメージの生成が簡単になるので、画像イメージ生成手段の画像イメージの生成を簡略化することができる。
これにより、表示手段に表示する画像表示の応答性を向上させることができる。
【００１５】
また、前記表示制御手段が、前記指定情報から固有識別値を算出する固有識別値算出手段を備え、前記指定情報判別手段１９が、前記次の表示に用いるフレームデータの指定情報及び前記フレームデータ記憶手段に記憶したフレームデータの指定情報を、それぞれ前記固有識別値算出手段で固有識別値を算出するとともに、該算出された固有識別値同士を比較して、一致するか否かを判別することが好ましい。
この電気機器は、指定情報判別手段１９が、所定長の固有識別値を用いて指定情報の一致及び不一致を判別するときに、指定情報が冗長であっても、これよりもデータ長の小さい固有識別値を用いるので、指定情報の一致及び不一致の判別を容易に行うことができる。
【００１６】
また、前記算出手段が、前記指定情報の固有識別値としてハッシュ値を算出することが好ましい。
このようにすると、算出手段が、ハッシュ関数を用いて指定情報から固有識別値を算出することができる。
【００１７】
また、前記指定情報判別手段が、不一致及び／又は一致すると判別された指定情報に、所定の識別子を付与する識別子付与手段を備え、前記ペインデータ選択手段が、前記識別子付与手段で識別子を付与された指定情報の有無に応じて、前記ペインデータ取得手段に取得させるペインデータの選択を行ない、前記ペインイメージ選択手段が、前記識別子付与手段で識別子を付与された指定情報の有無に応じて、前記画像イメージ生成手段に取得させるペインイメージの選択を行なうことが好ましい。
このようにすると、ペインデータ選択手段は、指定情報判別手段から出力されたフレームデータを用いて、ペインデータ取得手段にペインデータを選択して取得させることができる。また、ペインイメージ選択手段は、指定情報判別手段から出力されたフレームデータを用いて、画像イメージ生成手段にペインデータを選択して取得させることができる。
【００１８】
また、本発明の表示制御方法は、フレーム表示可能な表示手段を備える電気機器の表示制御方法であって、前記電気機器が備える、前記フレームを形成するフレームデータ及びフレーム内に表示するペインイメージを形成するペインデータを記憶したデータ記憶手段から、前記フレームデータを取得し、前記記憶手段から、前記取得したフレームデータの指定情報で指定されたペインデータを取得し、該取得したペインデータからペインイメージを生成し、前記取得したフレームデータに基づいてフレームを形成し、該形成されたフレーム内に、前記生成したペインイメージを配置して画像イメージを生成するとともに、該生成した画像イメージに基づいて前記表示手段に画像を表示させ、前記データ記憶手段から、前記表示手段の次の表示に用いるフレームデータを取得したときに、該フレームデータ取得手段が取得したフレームデータ及び前記表示手段の表示に用いたフレームデータの比較により、前記ペインデータを選択して取得するとともに、前記表示手段の表示に用いたペインイメージを選択して取得し、新たに取得したフレームデータ、ペインデータ及びペインイメージから画像イメージを生成して前記表示手段に画像を表示させる構成としている。
この表示制御方法によれば、上記電気機器の構成に限定されることなく、電気機器の表示手段に表示される画像の画像イメージを容易に生成することができる。
【００１９】
また、本発明の画像表示制御プログラムは、フレーム表示可能な表示手段、を備えるコンピュータを、前記フレームを形成するフレームデータ及び前記フレーム内に表示するペインイメージを形成するペインデータを記憶するデータ記憶手段と、該データ記憶手段からフレームデータを取得するフレームデータ取得手段と、該フレームデータ取得手段で取得したフレームデータの指定情報で指定されたペインデータを取得するペインデータ取得手段と、該ペインデータ取得手段で取得したペインデータからペインイメージを生成するペインイメージ生成手段と、前記フレームデータ取得手段で取得したフレームデータに基づいてフレームを形成し、該形成したフレーム内に、前記ペインイメージ生成手段で生成したペインイメージを配置して画像イメージを生成するとともに、該生成した画像イメージに基づいて前記表示手段に画像を表示させる画像イメージ生成手段と、前記表示手段の表示に用いたフレームデータを記憶するフレームデータ記憶手段と、前記表示手段の表示に用いたペインイメージを記憶するペインイメージ記憶手段と、前記フレームデータ取得手段が、前記表示手段の次の表示に用いるフレームデータを取得したときに、該フレームデータ取得手段が取得したフレームデータ及び前記フレームデータ記憶手段に記憶したフレームデータの比較により、前記ペインデータ取得手段に取得させるペインデータの選択及び前記画像イメージ生成手段に前記ペインイメージ記憶手段から取得させるペインイメージの選択を行なう表示制御手段として機能させる。
【００２０】
このような構成のプログラムは、例えば、コンピュータなどの汎用の端末などにインストールしてもよい。
このプログラムがインストールされた端末は、電気機器の表示手段に表示される画像の画像イメージを容易に生成することができる。
【発明の効果】
【００２１】
本発明の電気機器、画像表示制御方法、及び、画像表示制御プログラムによれば、表示制御手段が、フレームデータ取得手段が取得したフレームデータと、表示手段に表示した画像のフレームデータとを比較し、この比較に基づいてペインデータ取得手段に取得するペインデータを選択して取得させ、画像イメージ生成手段にペインイメージを選択して取得させるので、画像イメージ生成手段が生成する画像イメージの生成を簡略化でき、表示手段に表示する画像表示の応答性を向上させることができる。
【発明を実施するための最良の形態】
【００２２】
以下、本発明に係る電気機器、画像表示制御方法、画像表示制御プログラムの好ましい実施形態について説明する。なお、画像表示制御方法は、電気機器の作用の部分で説明する。
【００２３】
図１には、本発明の実施形態に係る電気機器の概略構成図を示している。
図２には、本発明の実施形態に係る電気機器の機能ブロック図を示している。
図３には、本発明の実施形態に係る電気機器において、操作パネル部の概略構成図を示している。
図４には、本発明の実施形態に係る電気機器において、コントローラ部の概略構成図を示している。
【００２４】
この電気機器Ｋは、例えば、フレーム４０表示可能な表示手段１０を備えるＭＦＰで構成されている。
表示手段１０は、例えば、液晶パネルなどの表示パネル１００で構成されており、例えば、図５（ａ）〜（ｃ）に示すように、一又は二以上のフレーム４０と、このフレーム４０で形成されたペイン３１〜３８とを備える画像３０，３０ａ，３０ｂを表示する。
ここでいうペイン３１〜３８とは、表示パネル１００において、フレーム４０により二以上に仕切られてなる領域（図５（ａ）〜（ｃ）において、符号３１〜３８の各ドットパターンが付された部分）のことをいう。
また、表示パネル１００は、いわゆる、タッチパネルであり、表示する画像のボタンにユーザが触れることにより所定の設定や動作が行なわれる。
【００２５】
また、図２に示すように、電気機器Ｋは、フレーム４０を形成するフレームデータ及びフレーム４０内に表示するペインイメージを形成するペインデータを記憶するデータ記憶手段１１と、データ記憶手段１１からフレームデータを取得するフレームデータ取得手段１２と、フレームデータ取得手段１２で取得したフレームデータの指定情報で指定されたペインデータを、データ記憶手段１１から取得するペインデータ取得手段１３と、ペインデータ取得手段１３で取得したペインデータからペインイメージを生成するペインイメージ生成手段１４と、フレームデータ取得手段１２で取得したフレームデータに基づいてフレーム４０を形成し、形成したフレーム４０内に、ペインイメージ生成手段１４で生成したペインイメージを配置して画像イメージを生成するとともに、生成した画像イメージに基づいて表示手段１０に画像を表示させる画像イメージ生成手段１５と、表示手段１０の表示に用いたフレームデータを記憶するフレームデータ記憶手段１６と、表示手段１０の表示に用いたペインイメージを記憶するペインイメージ記憶手段１７と、を備えている。
【００２６】
電気機器Ｋの具体的な構成は、表示パネル１００及びユーザにより操作されるユーザ操作部１００１を備える操作パネル部１と、操作パネル部１に内部バス３を介して接続されるコントローラ部２とを備えている。
操作パネル部１及びコントローラ部２は、図示しないＣＰＵ、メモリ、ＲＯＭなどを有し他マイクロプロセッサを備えており、ＲＯＭ内に記憶されたＪＡＶＡ（登録商標）プログラムをＣＰＵ及びメモリで実行することにより動作させられる。
また、操作パネル部１は、ＨＴＭＬ（Ｈｙｐｅｒ  Ｔｅｘｔ  Ｍａｒｋｕｐ  Ｌａｕｎｇｕｅｇｅ）で記述されたデータを解釈することにより、表示パネル１００への画像の表示（いわゆるレンダリング）を行なう。
【００２７】
操作パネル部１及びコントローラ部２間の通信は、ＨＴＴＰ（Ｈｙｐｅｒ  Ｔｅｘｔ  Ｔｒａｎｃｅｆｅｒ  Ｐｒｏｔｃｏｌ）を介して行なわれる。
この通信は、操作パネル部１側のＨＴＴＰ要求生成部１００２と、コントローラ部２側のＨＴＴＰ要求受信部２００２と、コントローラ部２側のＨＴＴＰ応答送信部２００３と、操作パネル部１側のＨＴＴＰ応答受信部１００３とを介して行なわれる。
【００２８】
データ記憶手段１１は、コントローラ部２側の画像データ保存部１１０で実現されている。画像データ保存部１１０は、例えば、フラッシュメモリやハードディスクドライブなどの記憶装置を備えている。
図６には、表示パネルに表示される画像３０，３０ａ，３０ｂと、画像データ保存部１１０に保存されるフレームデータ５０，５５と、ペインデータ６０との関係を示している。
フレームデータ５０，５５は、表示パネル１００に表示される画像３０，３０ａ，３０ｂを形成する。また、ペインデータ６０は、フレームデータ５０，５５の入れ子構造になっている。なお、フレームデータ５０，５５が、別のフレームデータ５０，５５で形成されるフレーム内にいれられてもよい。
【００２９】
また、画像データ保存部１１０は、例えば、ソース名がｆｒａｍｅ０１のフレームデータ５０（図７）、ソース名がｆｒａｍｅ０２のフレームデータ５５（図８）が保存されている。
これらのフレームデータ５０，５５は、ＨＴＭＬで記述されている。また、フレームデータ５０，５５において、フレーム４０内に表示するペインイメージのペインデータを指定する指定情報は、ＵＲＬを含むＵＲＩ又はパスなどの位置情報で構成されている。本実施形態において、指定情報は、記憶装置内のパスで構成されている。具体的には、指定情報は、フレームタグ（＜ｆｒａｍｅ＞）の要素のｓｒｃの値に記述される。
【００３０】
また、図９に示すように、画像データ保存部１１０は、例えば、ソース名が、ｍａｉｎ、ｓｕｂｍｅｎｕ、ｃｏｎｔｅｎｔ、ｕｐｐｅｒｐａｉｎ、ｂｏｔｔｏｍｐａｉｎであるペインデータ６０を記憶している。ペインデータ６０は、ＨＴＭＬで記述されている。
【００３１】
フレームデータ取得手段１２は、コントローラ部２側のフレーム検索部１２０で実現されている。
フレーム検索部１２０は、ユーザがユーザ操作部１００１を操作することにより、画像データ保存部１１０に保存されたフレームデータ５０，５５を検索する。
【００３２】
また、ペインデータ取得手段１３は、操作パネル部１側のペイン要求部１３０と、コントローラ部２側のペイン検索部１３１と、コントローラ部２側のペイン再構成部１３２と、ペイン受信部１３３とで実現されている。
ペイン要求部１３０は、フレームデータ５０，５５で指定されたペインデータ６０をペイン検索部１３１に検索させる。
【００３３】
ペイン検索部１３１は、画像データ保存部１１０に記憶されたペインデータ６０を検索し、これをペイン再構成部１３２に渡す。
ペイン再構成部１３２は、後述の現フレーム構成記憶部１６０からペインデータ６０の固有識別値を取得して、これをペインデータ６０の例えば、ヘッダなどに付加するとともに、操作パネル部１側に送る。
ペイン受信部１３３は、送られたペインデータ６０を受信する。
【００３４】
ペインイメージ生成手段１４は、ペインイメージ生成部１４０で実現される。
ペインイメージ生成部１４０は、生成したイメージを、ペインイメージ記憶手段１７であるペインイメージ保存部１７０に保存する。ペインイメージ保存部１７０は、例えば、例えば、フラッシュメモリやハードディスクドライブなどの記憶装置を備えている。
また、ペインイメージ生成部１４０は、ペインイメージ保存部１７０に保存されるペインイメージの管理テーブル１７１を作成する。
図１０に示すように、管理テーブル１７１は、ペインイメージの識別用に固有識別値と、フレームデータの指定情報に含まれたペインデータの名前と、厳密なタイムスタンプ又はシステムティック値である保存時刻とが含まれている。
【００３５】
画像イメージ生成手段１５は、画像イメージ生成部１５０で実現されている。
画像イメージ生成部１５０は、コントローラ部２１側から送られたフレームデータに基づいて、フレーム４０を形成するとともに、フレームデータの指定情報からペインイメージ保存部１７０に保存されたペインイメージを読み込んでこれをフレーム４０で形成された所定のペイン３１〜３８に配置し、画像イメージを形成する。
また、画像イメージ生成部１５０は、この画像イメージを表示パネル１００に表示させる。
【００３６】
また、画像イメージ生成部１５０は、フレームデータ内の指定情報を、固有識別値に書き換えたフレームデータのキャッシュを記憶するキャッシュ機能を有している。
このようにすると、同一のフレームデータにより、画像イメージ生成部１５０が、キャッシュのフレームデータを用いて各ペインイメージを読み込むことができ、ペインイメージのファイル検索が高速になる。
これにより、表示パネル１００が、以前表示した画像と同一の画像を表示するとき、キャッシュを用いるので、表示パネルの応答性を向上させることができる。
【００３７】
また、電気機器Ｋは、フレームデータ取得手段１２が、表示手段１０の次の表示に用いるフレームデータを取得したときに、フレームデータ取得手段１２が取得したフレームデータ及びフレームデータ記憶手段１６に記憶したフレームデータの比較により、ペインデータ取得手段１３に取得させるペインデータの選択及び画像イメージ生成手段１５にペインイメージ記憶手段１７から取得させるペインイメージの選択を行なう表示制御手段１８を備えている。
【００３８】
表示制御手段１８は、フレームデータ取得手段１２が取得した次の表示に用いるフレームデータの指定情報が、フレームデータ記憶手段１６に記憶したフレームデータの指定情報に対し、一致するか否かを判別する指定情報判別手段１９と、指定情報判別手段１９で不一致と判別された指定情報に対応するペインデータを、ペインデータ取得手段１３に取得させるペインデータ選択手段２０と、指定情報判別手段１９で一致と判別された指定情報に対応するペインデータのペインイメージを、画像イメージ生成手段１５に、ペインイメージ記憶手段１７から取得させるペインイメージ選択手段２１とを備えている。
また、表示制御手段１８は、指定情報から固有識別値を算出する算出手段を備えている。
【００３９】
指定情報判別手段１９は、不一致及び／又は一致すると判別された指定情報に、所定の識別子を付与する識別子付与手段を備えている。
この指定情報判別手段１９は、コントローラ部２側のフレーム再構成部１９０、ペイン抽出部１９１、算出手段である固有識別値算出部１９２、フレーム差分照合部１９３を備えている。
フレーム再構成部１９０は、フレーム検索部１２０が取得したフレームデータを、ペイン抽出部１９１に出力する。ペイン抽出部１９１は、フレームデータに含まれる指定情報を抽出する。抽出された各指定情報は、固有識別値算出部１９２で固有識別値が算出される。
固有識別値算出部１９２は、指定情報をハッシュ関数によりハッシュ値を算出し、これを固有識別値として出力する。
【００４０】
フレーム再構成部１９０は、フレームデータを、固有識別値算出部１９２で算出した固有識別値とともに、フレーム差分照合部１９３に出力する。
フレーム差分照合部１９３は、現フレーム構成記憶部１６０に記憶されたフレームデータと、フレーム再構成部１９０からのフレームデータとを照合する。
また、フレーム再構成部１９０は、一致すると判断された指定情報を、ｓｒｃ＝”ｈａｓｈ／（固有識別値）”に書き換えて、操作パネル部１側に出力する。
また、フレーム再構成部１９０は、フレーム差分照合部１９３での照合が終わったあとに、構成記憶更新処理部１９４により、現フレーム構成記憶部１６０のフレームデータとして更新される。
【００４１】
ペインデータ選択手段２０及びペインイメージ選択手段２１は、フレーム解析部２００で実現される。
フレーム解析部２００は、フレーム再構成部１９０からのフレームデータを解析する。
フレーム解析部２００は、フレームデータに含まれる指定情報に付与された識別子の有無によりペイン要求部１３０にペインデータの要求を行なわせ、画像イメージ生成部１５０に、ペインイメージの取得を行なわせる。
【００４２】
すなわち、フレーム解析部２００は、識別子としての「ｈａｓｈ／」が含まれない指定情報については、ペイン要求部１３０に、この指定情報に対応したペインデータの要求を行なわせる。また、フレーム解析部２００は、識別子としての「ｈａｓｈ／」が含まれる指定情報については、ペイン要求部１３０にこの指定情報に対応したペインデータの要求を行なわせないで、画像イメージ生成部１５０に、ペインイメージ保存部１７０に保存された既存のペインイメージを取得させる。
【００４３】
次に、以上のような構成からなる本実施形態の電気機器Ｋの動作について、図１１に示す操作パネル部１のフローチャート及び図１２に示すコントローラ部２のフローチャートを参照して説明する。
まず、電気機器Ｋは、操作パネル部１のユーザの操作（Ｓ１−１）により電源が入れられて、予め、初期画面として、図５（ａ)に示す画像３０を表示する場合には、以下のようになる。
操作パネル部１は、ＨＴＴＰ要求生成部１００２を介してｆｒａｍｅ０１のフレームデータ５０の要求を行なう（Ｓ１−２）。
【００４４】
コントローラ部２のＨＴＴＰ要求受信部２００２は、上記の操作パネル部１の処理（Ｓ２−１）により、操作パネル部１から出力されたｆｒａｍｅ０１のフレームデータ５０を要求する信号を受信すると（Ｓ２−２）、フレーム検索部１２０にこの信号を出力する。
【００４５】
フレーム検索部１２０は、画像データ保存部１１０からｆｒａｍｅ０１のフレームデータ５０を検索してとりだし（Ｓ２−３）、これをフレーム再構成部１９０に出力する（Ｓ２−４）。
フレーム再構成部１９０は、ｆｒａｍｅ０１のフレームデータ５０をペイン抽出部１９１に出力する（Ｓ２−５）。ペイン抽出部１９１は、ｆｒａｍｅ０１のフレームデータ５０の各指定情報（ｓｒｃの値）を抽出し（Ｓ２−６）、固有識別値算出部１９２に各指定情報の固有識別値を算出させる（Ｓ２−７）。
【００４６】
フレーム再構成部１９０は、ペイン抽出部１９１からの各指定情報の固有識別値が入力されると（Ｓ２−８）、図１３に示すように、ｆｒａｍｅ０１のフレームデータ５０の各指定情報を、識別子である「ｈａｓｈ／」を付与した固有識別値に書き換える。
すなわち、フレーム再構成部１９０は、ｆｒａｍｅ０１のフレームデータ５０のｓｒｃ＝”ｍａｉｎ”を、ｓｒｃ＝”ｈａｓｈ／０ｘ３ｃ２ｄ”に、ｓｒｃ＝”ｓｕｂｍｅｎｕ”を、ｓｒｃ＝”ｈａｓｈ／０ｘ０９ｃ８”に、ｓｒｃ＝”ｃｏｎｔｅｎｔ”を、ｓｒｃ＝”ｈａｓｈ／０ｘ６８ｄａ”にそれぞれ書き換え、フレームデータ５０ａとする（Ｓ２−８）。
【００４７】
フレーム再構成部１９０は、ｆｒａｍｅ０１のフレームデータ５０ａを、フレーム差分照合部１９３に出力する（Ｓ２−９）。
フレーム差分照合部１９３は、ｆｒａｍｅ０１のフレームデータ５０ａを、現フレーム構成記憶部１６０のフレームデータと照合する（Ｓ２−１０）。
この場合、現フレーム構成記憶部１６０には、フレームデータが記憶されていないので、一致する指定情報がない（Ｓ２−１１）。
【００４８】
フレーム再構成部１９０は、フレーム差分照合部１９３からの照合結果が入力されると（Ｓ２−１２）、ｆｒａｍｅ０１のフレームデータ５０をそのままＨＴＴＰ応答送信部２００３を介して操作パネル部１に出力する（Ｓ２−１３）。
また、フレーム再構成部１９０は、構成記憶更新処理部１９４に、ｆｒａｍｅ０１のフレームデータ５０ａを出力し（Ｓ２−１４）、このフレームデータ５０ａを現フレーム記憶部に記憶させる（Ｓ２−１５）。
【００４９】
操作パネル部１のＨＴＴＰ応答受信部１００３は、上記のコントローラ部２の処理（Ｓ１−３）により、出力されたｆｒａｍｅ０１のフレームデータ５０を受信し、フレーム解析部２００に出力する（Ｓ１−４）。
【００５０】
フレーム解析部２００は、ｆｒａｍｅ０１のフレームデータ５０を解析する（Ｓ１−５）。
フレーム解析部２００は、指定情報に識別子である「ｈａｓｈ／」が含まれていないので、ペイン要求部１３０に、各指定情報に対応するｍａｉｎ、ｓｕｂｍｅｎｕ、ｃｏｎｔｅｎｔのペインデータ６０をそれぞれ要求させる（Ｓ１−６）。
ペイン要求部１３０は、ＨＴＴＰ要求生成部１００２を介してコントローラ部２側にペインデータの要求信号を出力する（Ｓ１−７）。
【００５１】
コントローラ部２は、操作パネル部１の処理（Ｓ２−１６）により出力されたペインデータの要求信号をＨＴＴＰ要求受信部２００２で受信する（Ｓ２−１７）。ＨＴＴＰ要求受信部２００２は、受信したペインデータの要求信号をペイン検索部１３１に出力する。
ペイン検索部１３１は、要求のあった指定情報に対応したペインデータを画像データ保存部１１０から取り出す（Ｓ２−１８）。
ペイン検索部１３１は、ソース名がｍａｉｎ、ｓｕｂｍｅｎｕ、ｃｏｎｔｅｎｔのペインデータを取り出すと、ペイン再構成部１３２にペインデータを出力する（Ｓ２−１９）。
【００５２】
ペイン再構成部１３２は、各ペインデータに対応する指定情報の固有識別値（ｍａｉｎ：ｈａｓｈ／０ｘ３ｃ２ｄ、ｓｕｂｍｅｎｕ：ｈａｓｈ／０ｘ０９ｃ８、ｃｏｎｔｅｎｔ：ｈａｓｈ／０ｘ６８ｄａ”）を、現フレーム構成記憶部１６０を参照して取得する。
そして、ペイン再構成部１３２は、この固有識別値を各ペインデータのヘッダに埋め込むなどし、ペインデータに固有識別値を付加する（Ｓ２−２０）。
また、これらのペインデータを操作パネル部１側に、ＨＴＴＰ応答送信部２００３を介して出力する（Ｓ２−２１，Ｓ２−２２）。
【００５３】
操作パネル部１は、このようにしてコントローラ部２の処理（Ｓ１−８）により出力されたペインデータがＨＴＴＰ応答受信部１００３に入力されると（Ｓ１−９）、ペイン受信部１３３がこれを受信する（Ｓ１−１０）。
ペイン受信部１３３は、ペインイメージ生成部１４０に、ペインデータを出力する。
ペインイメージ生成部１４０は、ペインデータに基づいてペインイメージを生成し（Ｓ１−１１）、ペインイメージ保存部１７０にこれを保存する（Ｓ１−１２）。
この際、ペインイメージ生成部１４０は、ペインイメージ保存部１７０に保存されるペインイメージの管理テーブル１７１を作成する。
【００５４】
また、フレーム解析部２００は、ｆｒａｍｅ０１のフレームデータ５０を画像イメージ生成部１５０に出力する。画像イメージ生成部１５０は、フレーム解析部２００からフレームデータが入力されると（Ｓ１−１３）、フレームデータの指定情報に対応するペインデータのペインイメージを、管理テーブル１７１を用いてペインイメージ保存部１７０から読み出す（Ｓ１−１４）。
また、画像イメージ生成部１５０は、フレームデータからフレーム４０を形成するとともに、フレーム４０内において、ペイン３１に”ｍａｉｎ”のペインデータのペインイメージを、ペイン３２に”ｓｕｂｍｅｎｕ”のペインデータのペインイメージを、ペイン３３に”ｃｏｎｔｅｎｔ”のペインデータのペインイメージをそれぞれ配置して画像イメージを生成し、生成した画像イメージを表示パネル１００に表示させる（Ｓ１−１５，図５（ａ)）。
【００５５】
次に、電気機器Ｋが、ユーザの操作により、表示パネル１００にｆｒａｍｅ０２のフレームデータに対応する画像３０ａ（図５（ｂ））の表示を行なうときは以下のようになる。
ユーザ操作部１００１は、ユーザにより、表示パネル１００に、ｆｒａｍｅ０２のフレームデータ５５に対応する画像の表示を行なわせる操作がなされると、ＨＴＴＰ要求生成部１００２を介してｆｒａｍｅ０２の要求を行なう（Ｓ１−２）。
【００５６】
コントローラ部２は、ＨＴＴＰ要求受信部２００２が、上記の操作パネル部１の処理（Ｓ２−１）により出力されたｆｒａｍｅ０２のフレームデータ５５を要求する信号を受信すると（Ｓ２−２）、フレーム検索部１２０にこの信号を出力する。
【００５７】
フレーム検索部１２０は、画像データ保存部１１０からｆｒａｍｅ０２のフレームデータ５５を検索して取り出し（Ｓ２−３）、これをフレーム再構成部１９０に出力する（Ｓ２−４）。
フレーム再構成部１９０は、ｆｒａｍｅ０２のフレームデータ５５をペイン抽出部１９１に出力する（Ｓ２−５）。ペイン抽出部１９１は、ｆｒａｍｅ０１のフレームデータ５０の各指定情報（ｓｒｃの値）を抽出し（Ｓ２−６）、固有識別値算出部１９２に各指定情報の固有識別値を算出させる（Ｓ２−７）。
【００５８】
フレーム再構成部１９０は、ペイン抽出部１９１からの各指定情報の固有識別値が入力されると、図１４に示すように、ｆｒａｍｅ０２のフレームデータ５５の各指定情報を、識別子である「ｈａｓｈ／」を付与した固有識別値に書き換える（Ｓ２−８）。
すなわち、フレーム再構成部１９０は、ｆｒａｍｅ０２のフレームデータ５５において、ｓｒｃ＝”ｍａｉｎ”を、ｓｒｃ＝”ｈａｓｈ／０ｘ３ｃ２ｄ”に、ｓｒｃ＝”ｓｕｂｍｅｎｕ”を、ｓｒｃ＝”ｈａｓｈ／０ｘ０９ｃ８”に、ｓｒｃ＝”ｕｐｐｅｒｐａｉｎ”を、ｓｒｃ＝”ｈａｓｈ／０ｘ１１４ａ”に、ｓｒｃ＝”ｂｏｔｔｏｍｐａｉｎ”を、ｓｒｃ＝”ｈａｓｈ／０ｘ９ｂ６２”、にそれぞれ書き換える。
【００５９】
フレーム再構成部１９０は、ｆｒａｍｅ０２のフレームデータ５５ａを、フレーム差分照合部１９３に出力する（Ｓ２−９）。
フレーム差分照合部１９３は、ｆｒａｍｅ０２のフレームデータ５５ａを、現フレーム構成記憶部１６０に記憶されたフレームデータ（５０ａ）と照合し、その結果をフレーム再構成部１９０に出力する（Ｓ２−１０）。
【００６０】
この場合、現フレーム構成記憶部１６０には、ｆｒａｍｅ０１のフレームデータ５０ａが記憶されているので、フレーム差分照合部１９３は、ｓｒｃ＝”ｈａｓｈ／０ｘ３ｃ２ｄ”及びｓｒｃ＝”ｈａｓｈ／０ｘ０９ｃ８”が一致の指定情報であり、ｓｒｃ＝”ｈａｓｈ／０ｘ１１４ａ”及びｓｒｃ＝”ｈａｓｈ／０ｘ９ｂ６２”が不一致の指定情報であることを判別する（Ｓ２−１１）。
この際、現フレーム構成記憶部１６０のｆｒａｍｅ０１のフレームデータ５０ａ及びｆｒａｍｅ０２のフレームデータ５５ａの指定情報は、それぞれ、固有識別値に書き換えられており、しかも、固有識別値は、指定情報よりもデータ長が小さいので、フレーム差分照合部１９３の照合処理を簡略化することができる。
【００６１】
フレーム再構成部１９０は、フレーム差分照合部１９３からの照合結果が入力されると、ｆｒａｍｅ０２のフレームデータ５５ａのうち、ｆｒａｍｅ０１のフレームデータ５０ａに対して一致する指定情報をそのままにし、不一致の指定情報を元の指定情報とする。
すなわち、フレーム再構成部１９０は、ｆｒａｍｅ０２のフレームデータ５５を、ｓｒｃ＝”ｍａｉｎ”を、ｓｒｃ＝”ｈａｓｈ／０ｘ３ｃ２ｄ”に、ｓｒｃ＝”ｓｕｂｍｅｎｕ”を、ｓｒｃ＝”ｈａｓｈ／０ｘ０９ｃ８”に書き換え、ｓｒｃ＝”ｕｐｐｅｒｐａｉｎ”及びｓｒｃ＝”ｂｏｔｔｏｍｐａｉｎ”をそのままにして、ｆｒａｍｅ０２のフレームデータ５５ｂに再構成する（Ｓ２−１２）。
【００６２】
そして、フレーム再構成部１９０は、ｆｒａｍｅ０２のフレームデータ５５ｂを、ＨＴＴＰ応答送信部２００３を介して操作パネル部１側に出力する（Ｓ２−１３）。
また、フレーム再構成部１９０は、構成記憶更新処理部１９４に、ｆｒａｍｅ０２のフレームデータ５５ａを出力し（Ｓ２−１４）、このフレームデータ５５ａを現フレーム構成記憶部１６０に記憶させる（Ｓ２−１５）。
【００６３】
操作パネル部１は、上記のコントローラ部２の処理（Ｓ１−３）により、出力されたｆｒａｍｅ０２のフレームデータ５５ｂを、ＨＴＴＰ応答受信部１００３で受信する（Ｓ１−４）。
ＨＴＴＰ応答受信部１００３は、このフレームデータ５５ｂを受信すると、フレーム解析部２００に出力する。
【００６４】
フレーム解析部２００は、ｆｒａｍｅ０２のフレームデータ５５ｂを解析する（Ｓ１−５）。
フレーム解析部２００は、指定情報に識別子である「ｈａｓｈ／」が含まれている指定情報（ｓｒｃ＝”ｈａｓｈ／０ｘ３ｃ２ｄ”、ｓｒｃ＝”ｈａｓｈ／０ｘ０９ｃ８”）を無視する。
また、フレーム解析部２００は、ペイン要求部１３０に、「ｈａｓｈ／」が含まれていない指定情報に対応するｕｐｐｅｒｐａｉｎ及びｂｏｔｔｏｍｐａｉｎのペインデータをそれぞれ要求させる（Ｓ１−６）。
また、フレーム解析部２００は、ｆｒａｍｅ０２のフレームデータ５５ｂを画像イメージ生成部１５０に出力する。
ペイン要求部１３０は、ＨＴＴＰ要求生成部１００２を介してコントローラ部２側に、ｕｐｐｅｒｐａｉｎ及びｂｏｔｔｏｍｐａｉｎのペインデータの要求信号を出力する（Ｓ１−７）。
【００６５】
コントローラ部２は、操作パネル部１の処理（Ｓ２−１６）により出力された、ｕｐｐｅｒｐａｉｎ及びｂｏｔｔｏｍｐａｉｎのペインデータの要求信号をＨＴＴＰ要求受信部２００２で受信する（Ｓ２−１７）。
ＨＴＴＰ要求受信部２００２は、ペインデータの要求信号をペイン検索部１３１に出力する。
ペイン検索部１３１は、ｕｐｐｅｒｐａｉｎ及びｂｏｔｔｏｍｐａｉｎのペインデータを画像データ保存部１１０から取り出す（Ｓ２−１８）。
【００６６】
ペイン検索部１３１は、ｕｐｐｅｒｐａｉｎ及びｂｏｔｔｏｍｐａｉｎのペインデータを取り出し、これをペイン再構成部１３２に出力する（Ｓ２−１９）。
ペイン再構成部１３２は、これらのペインデータに対応する指定情報の固有識別値（ｓｒｃ＝”ｈａｓｈ／０ｘ１１４ａ”及びｓｒｃ＝”ｈａｓｈ／０ｘ９ｂ６２”）を、現フレーム構成記憶部１６０を参照して取得し、これを各ペインデータに付加する（Ｓ２−２０）。
また、これらのペインデータを操作パネル側に、ＨＴＴＰ応答送信部２００３を介して出力する（Ｓ２−２１，Ｓ２−２２）。
【００６７】
操作パネル部１のＨＴＴＰ応答受信部１００３は、上記のコントローラ部２の処理（Ｓ１−８）により、コントローラ部２から出力されたペインデータを受信すると（Ｓ１−９）、ペイン受信部１３３に出力する（Ｓ１−１０）。
ペイン受信部１３３は、ペインイメージ生成部１４０に、ペインデータを出力する。
ペインイメージ生成部１４０は、ペインデータに基づいてペインイメージを生成し（Ｓ１−１１）、ペインイメージ保存部１７０にこれを保存する（Ｓ１−１２）。
この際、ペインイメージ生成部１４０は、ペインイメージ保存部１７０に保存されるペインイメージの管理テーブル１７１を作成する。
【００６８】
画像イメージ生成部１５０は、フレーム解析部２００からフレームデータが入力されると（Ｓ１−１３）、管理テーブル１７１を用いてフレームデータの指定情報に対応するペインデータのペインイメージを、ペインイメージ保存部１７０から読み出す（Ｓ１−１４）。
また、画像イメージ生成部１５０は、フレームデータからフレーム４０を形成するとともに、フレーム４０内において、ペイン３１に”ｈａｓｈ／０ｘ３ｃ２ｄ（ｍａｉｎ）”のペインデータのペインイメージを、ペイン３２に”ｈａｓｈ／０ｘ０９ｃ８（ｓｕｂｍｅｎｕ）”のペインデータのペインイメージを、ペイン３４に”ｕｐｐｅｒｐａｉｎ”のペインデータのペインイメージを、ペイン３５に”ｂｏｔｔｏｍｐａｉｎ”のペインデータのペインイメージを、それぞれ配置して画像イメージを生成する。
そして、画像イメージ生成部１５０は、生成した画像イメージにより、画像３０ａを表示パネル１００に表示させる（Ｓ１−１５，図５（ｂ））。
このようにすると、従来のブラウザ処理のように、全画面をすべて最初から解釈しレンダリングする場合に比較して、パネル側ブラウザの処理負荷を大きく低減できる。
【００６９】
この際、画像イメージ生成部は、ペインイメージ生成部にすでに記憶されたｍａｉｎとｓｕｂｍｅｎｕのペインイメージを、ペイン３１及びペイン３２に配置するので、これらのペインイメージを、フレームデータを取得するたびに、ペインイメージ生成部１４０で逐一ペインイメージを生成しなくてもよくなる。
【００７０】
また、フレーム解析部２００は、指定情報に、識別子である「ｈａｓｈ／」を含むか否かにより各部への処理の指示を行なう。これにより、操作パネル部１側での処理の負荷が軽減される。
すなわち、操作パネル部１側で、画像表示の処理を行なう一方、指定情報の比較や固有識別値の算出は、コントローラ部２で行なうようにしたので、操作パネル部１のマイクロプロセッサの処理を比較的単純な処理とすることができる。そのため、操作パネル部１側の処理負荷を分散できる。
これにより、表示パネル１００への画像表示の応答性を向上させることができる。
【００７１】
次に、図５（ｂ）、（ｃ）に示すように、電気機器Ｋが、例えば、ユーザ操作部１００１が操作されることにより、表示パネルに表示した画像３０ａから３０ｂに遷移するときには、上記と同様にして、フレーム解析部２００が、ペイン要求部１３０が、コントローラ部２側にペイン３６〜３８のペインデータを要求させる。
また、ペインイメージ生成部１４０が、コントロール部２側からのペインデータからペインイメージを作成し、これを新たにペインイメージ保存部１７０に保存する。
また、フレーム解析部２００が、画像イメージ生成部１５０に、フレームデータを読込ませる。
そして、画像イメージ生成部１５０は、読み込んだフレームデータの指定情報に対応するペイン３１，３６〜３８のペインイメージを、ペインイメージ保存部１７０から読込み、表示パネル１００に画像３０ｂを表示させる。
【００７２】
以上説明したように、本実施形態に係る電気機器Ｋによれば、表示制御手段１８が、フレームデータ記憶手段１６に記憶されたフレームデータと、次の表示に用いるデータ記憶手段１１のフレームデータとを比較して、ペインデータ取得手段１３に選択してペインデータを取得させることができる。
また、表示制御手段１８が、上記の比較により、ペインイメージ生成手段１４にペインイメージの生成を行なわせることなく、画像イメージ生成手段１５に、表示手段１０の表示に用いたペインイメージを記憶するペインイメージ記憶手段１７から選択してペインイメージを取得させることができる。
これにより、電気機器Ｋは、ペインデータ取得手段１３によるペインデータ取得及びペインイメージ生成手段１４によるペインイメージの生成を簡略化できる。
【００７３】
また、ペインデータ選択手段２０が、指定情報判別手段１９が、指定情報が不一致と判別した指定情報に対応するペインデータを、ペインデータ取得手段１３に取得させ、ペインイメージ選択手段２１が、画像イメージ生成手段１５に、ペインイメージ記憶手段１７から指定情報判別手段１９が一致と判別された指定情報に対応するペインデータのペインイメージを取得させる。
そのため、表示手段１０に表示した画像から、次の画像に遷移するときに、表示した画像のフレームデータで指定されるペインデータと、次に表示する画像のフレームデータのペインデータとを重複することなく取得することができる。
また、ペインイメージ生成手段１４は、新たに読み込んだ分のペインデータからペインイメージを生成するので、表示した画像のペインイメージを生成しなくてもよくなる。
そのため、ペインイメージ生成手段１４によるペインイメージの生成が簡単になるので、画像イメージ生成手段１５の画像イメージの生成を簡略化することができる。
これにより、表示手段１０に表示する画像表示の応答性を向上させることができる。
【００７４】
なお、本実施形態に置いて、ＨＴＴＰ要求生成部１００２、ＨＴＴＰ応答受信部１００３、フレーム解析部２００、ペイン要求部１３０、ペイン受信部１３３、ペインイメージ生成部１４０を、操作パネル部１とは別の中間処理部（図示せず）としてサブシステム化してもよい。
このようにすると、操作パネル部１は、ブラウザとして最低限のパフォーマンスを持つプラットフォームとすることができ、中間処理部をコントローラ側に配置することで、処理の負荷の分担を変更することができる。
【００７５】
以上、本発明の装置について、好ましい実施形態を示して説明したが、本発明に係る装置は、上述した実施形態にのみ限定されるものではなく、本発明の範囲で種々の変更実施が可能であることは言うまでもない。
例えば、電気機器は、操作パネル部とコントローラ部２を内部バスで接続したがこれに限定される物で無く、例えば、操作パネル側が、コンピュータ、ＰＤＡ、携帯電話などの端末とし、また、コントローラ部２側をプリンタなど画像形成装置や、テレビ、冷蔵庫などの一般家電製品などで構成し、内部バスを、ローカルエリアネットワークなどのネットワークで構成してよい。
また、操作パネル部とコントローラ部とを別体としたが、一体であってもよい。
【００７６】
また、操作パネル部とコントローラ部とは、１対１で対応が取れていれば、１対複数（アドレスや識別子で相手を特定）であってもよく、適宜設計変更して差し支えない。
また、算出手段である固有識別値算出部が、ハッシュ関数を用いてハッシュ値を算出し、これを固有識別値としたが、これに限定されるものでなく、例えば、所定の固有識別値と、指定情報とが対応付けられた、データテーブルを用いたり、予め、フレームデータのヘッダ情報に埋め込んだ固有識別値を取り出したりするようにして、固有識別値を得るようにしてもよい。
【図面の簡単な説明】
【００７７】
【図１】本発明の実施形態に係る電気機器を示す概略構成図である。
【図２】本発明の実施形態に係る電気機器を示す、機能ブロック図である。
【図３】本発明の実施形態に係る電気機器において、操作パネル部を示す概略構成図である。
【図４】本発明の実施形態に係る電気機器において、コントローラ部を示す概略構成図である。
【図５】本発明の実施形態に係る電気機器において、ユーザ操作部及び表示パネルを示す図であって、（ａ）表示パネルに画像の一例を表示した状態で示す図、（ｂ）表示パネルに別の画像の一例を表示した状態で示す図、（ｂ）表示パネルにまた別の画像の一例を表示した状態で示す図である。
【図６】本発明の実施形態に係る電気機器において、表示する画像イメージと、フレームデータ及びペインデータの関係を示す図である。
【図７】本発明の実施形態に係る電気機器に用いられるフレームデータの一例を示す図である。
【図８】本発明の実施形態に係る電気機器に用いられるフレームデータの別の一例を示す図である。
【図９】本発明の実施形態に係る電気機器に用いられるペインデータの例を示す図である。
【図１０】本発明の実施形態に係る電気機器に用いられる管理テーブルを示す図である。
【図１１】本発明の実施形態に係る電気機器において、操作パネル部側の動作を示すシーケンス図である。
【図１２】本発明の実施形態に係る電気機器において、コントローラ部２側の動作を示すシーケンス図である。
【図１３】本発明の実施形態に係る電気機器において、フレームデータの一例をフレーム再構成部により再構成した状態で示す図である。
【図１４】本発明の実施形態に係る電気機器において、フレームデータの別の一例をフレーム再構成部により再構成した状態で示す図である。
【図１５】本発明の実施形態に係る電気機器において、フレームデータの別の一例をフレーム再構成部からフレーム解析部に出力される際の状態で示す図である。
【符号の説明】
【００７８】
Ｋ  電気機器
１  操作パネル部
２コントローラ部
３  内部バス
１０  表示手段
１００  表示パネル
１１  データ記憶手段
１１０  画像データ保存部
１２  フレームデータ取得手段
１２０  フレーム検索部
１３  ペインデータ取得手段
１３０  ペイン要求部
１３１  ペイン検索部
１３２  ペイン再構成部
１３３  ペイン受信部
１４  ペインイメージ生成手段
１４０  ペインイメージ生成部
１５  画像イメージ生成手段
１５０  画像イメージ生成部
１６  フレームデータ記憶手段
１６０  現フレーム構成記憶部
１７  ペインイメージ記憶手段
１７０  ペインイメージ保存部
１８  表示制御手段
１９  指定情報判別手段
１９０  フレーム再構成部
１９１  ペイン抽出部
１９２  固有識別値算出部（算出手段）
１９３  フレーム差分照合部
１９４  構成記憶更新処理部
２０  ペインデータ選択手段
２００  フレーム解析部
２１  ペインイメージ選択手段
３０，３０ａ，３０ｂ  画像
３１〜３８  ペイン
４０  フレーム
１００１  ユーザ操作部
１００２  ＨＴＴＰ要求生成部
１００３  ＨＴＴＰ応答受信部
２００２  ＨＴＴＰ要求受信部
２００３  ＨＴＴＰ応答送信部
【図１】
0004997070.tif 000002
【図２】
0004997070.tif 000003
【図３】
0004997070.tif 000004
【図４】
0004997070.tif 000005
【図５】
0004997070.tif 000006
【図６】
0004997070.tif 000007
【図７】
0004997070.tif 000008
【図８】
0004997070.tif 000009
【図９】
0004997070.tif 000010
【図１０】
0004997070.tif 000011
【図１１】
0004997070.tif 000012
【図１２】
0004997070.tif 000013
【図１３】
0004997070.tif 000014
【図１４】
0004997070.tif 000015
【図１５】
0004997070.tif 000016